(57)【特許請求の範囲】
【請求項１】
撮影方向を前方側として配設された撮像レンズとこの撮像レンズが形成する像を撮像する撮像手段とを有する本体部と、
表示画面を本体部の後方側に向けて配設される映像表示装置と、
一端部が本体部の背面側の上方縁部との間の第１のヒンジ部材を介して本体部に回動自在に支持されるとともに、他端部が映像表示装置との間の第２のヒンジ部材を介して映像表示装置を回動自在に支持することにより、本体部の背面側に対して映像表示装置を揺動自在に支持する略矩形板状に形成された表示支持機構とを備え、
上記映像表示装置は、上記表示支持機構に、映像を表示する表示画面を上方側及び下方側に傾斜自在に支持されるとともに、上記本体部の前方側に映像を表示する表示画面が向くように支持されたビデオカメラ装置であって、
上記表示支持機構は、上記第１のヒンジ部材の下方で上記本体部の背面に略平行な第１の位置から、上記第１のヒンジ部材の上方で上記本体部の背面に略平行な第２の位置までの略１８０度回動自在に構成され、上記第２の位置においては、上記映像表示装置を上記本体部の上面よりも上方に保持すると共に、この状態で上記第２のヒンジ部材により上記映像表示装置の表示画面が上記本体部の前方側又は後方側に向くように選択自在に回動するよう構成されたことを特徴とするビデオカメラ装置。
【発明の詳細な説明】
【０００１】
【発明の属する技術分野】
本発明は、液晶表示板（ＬＣＤ）や陰極線管（ＣＲＴ）を有して構成されたモニタ用の映像表示装置を備えたビデオカメラ装置に関する。
【０００２】
【従来の技術】
従来、撮像レンズ及び撮像素子を有して構成されたカメラ装置とビデオテープレコーダ装置とを一体的に構成したビデオカメラ装置がある。そして、このようなビデオカメラ装置は、液晶表示板（ＬＣＤ）や陰極線管（ＣＲＴ）を有して構成された映像表示装置を備えているものがある。
【０００３】
ビデオカメラ装置において、映像表示装置は、カメラ装置により撮像されている映像、又はビデオテープレコーダ装置により再生された映像を表示する装置である。したがって、この映像表示装置は、ビデオカメラ装置による撮影を行う場合のファインダとして使用されるとともに、ビデオテープレコーダ装置により再生された映像を観賞する場合のモニタとしても使用される。
【０００４】
映像表示装置は、映像を表示する表示画面を有しており、この表示画面をビデオカメラ装置の外筐体の後方側に向けた状態で、外筐体の背面部に配設されている。このビデオカメラ装置は、カメラ装置が、外筐体の前方側を撮影するように配設されている。したがって、このビデオカメラ装置の使用者は、このビデオカメラ装置を使用者自身の正面側に構えた際、映像表示装置の表示画面を見ながら、カメラ装置による撮影を行うことができる。
【０００５】
そして、上述したビデオカメラ装置に設けられた映像表示装置は、このビデオカメラ装置の外筐体に対して、表示支持機構を介して取り付けられることによって、撮影状態に応じて移動可能に支持されているものがある。
【０００６】
上述した表示支持機構を備えるビデオカメラ装置について、図面を参照して説明する。まず、図１３に示すように、ビデオカメラ装置１０１は、本体１０１Ａと、この本体１０１Ａの背面部に配設される映像表示装置１０１Ｂと、この映像表示装置１０１Ｂを揺動自在に支持する表示支持機構１０１Ｃとを備え構成されている。表示支持機構１０１Ｃは、本体１０１Ａの背面側に取り付けられる支持ベース１０１Ｄと、この支持ベース１０１Ｄに基端部が揺動自在に支持されるとともに先端部に映像表示装置１０１Ｂを揺動自在に支持する一組の第１の支持部材１０１Ｆと、一端部が第１の支持部材１０１Ｆを揺動自在に支持するとともに他端部が支持ベース１０１Ｄに揺動自在に支持された一組の第２の支持部材１０１Ｇとを備えて構成されている。
【０００７】
また、この支持ベース１０１Ｄには、第１の支持部材１０１Ｆの基端部をスライド移動自在に支持するガイドスリット１０１Ｅが設けられている。そして、このビデオカメラ装置１０１は、表示支持機構１０１Ｃを介して映像表示装置１０１Ｂの表示画面が上方側及び下方側とにそれぞれ傾斜される。
【０００８】
つぎに、ビデオカメラ装置１０２は、図１４に示すように、本体１０２Ａと、この本体１０２Ａの背面側に上方側の側端部が揺動自在に支持された映像表示装置１０２Ｂとを備えて構成されている。そして、このビデオカメラ装置１０２は、本体１０２Ａに対して映像表示装置１０２Ｂを回動させることによって、映像表示装置１０２Ｂの表示画面が上方側に傾斜されるとともに、映像表示装置１０２Ｂの表示画面が本体１０２Ａの前方側に向けられる。
【０００９】
また、ビデオカメラ装置１０３は、図１５に示すように、本体１０３Ａと、この本体１０３Ａの背面側に基端部が揺動自在に支持された支持部材１０３Ｃと、この支持部材１０３Ｃの先端部に回動自在に支持された映像表示装置１０３Ｂとを備えて構成されている。このビデオカメラ装置１０３は、本体１０３Ａに対して支持部材１０３Ｃを揺動させることによって、映像表示装置１０３Ｂを引き出し操作する。そして、このビデオカメラ装置１０３は、支持部材１０３Ｃに対して映像表示装置１０３Ｂが、支持部材１０３Ｃが揺動された方向と直交する方向に回動されることによって、映像表示装置１０３Ｂの表示画面が上方側及び下方側とにそれぞれ傾斜されるとともに、映像表示装置１０３Ｂの表示画面が本体１０３Ａの前方側に向けられる。
【００１０】
最後に、ビデオカメラ装置１０４は、図１６に示すように、本体１０４Ａと、この本体１０４Ａに固定されて設けられた映像表示装置１０４Ｂと、本体１０４Ａの一側面部に回動自在に配設されたカメラ装置１０４Ｃとを備えて構成されている。このビデオカメラ装置１０４は、カメラ装置１０４Ｃに対して、映像表示装置１０４Ｂが設けられた本体１０４Ａを回動させることによって、映像表示装置１０４Ｂの表示画面が上方側及び下方側とにそれぞれ傾斜される。
【００１１】
【発明が解決しようとする課題】
ところで、ビデオカメラ装置１０１は、本体１０１Ａに対して映像表示装置１０１Ｂを回動させて、本体１０１Ａの前方側に映像表示装置１０１Ｂの表示画面を向けることができないという問題があった。
【００１２】
また、ビデオカメラ装置１０２は、本体１０２Ａに対して映像表示装置１０２Ｂを回動させて、映像表示装置１０２Ｂの表示画面を下方側に傾斜させることができないという問題があった。
【００１３】
また、ビデオカメラ装置１０３は、映像表示装置１０３Ｂを傾斜させたり回動させる際、複数の動作が必要となり回動操作が煩雑であるという問題があった。
【００１４】
また、ビデオカメラ装置１０４は、カメラ装置１０４Ｃに対して、本体１０４Ａに固定された映像表示装置１０４Ｂを傾斜させるため、比較的大きな動作と力が必要なる。このため、このビデオカメラ装置１０４は、映像表示装置１０４Ｂを傾斜させる動作が煩わしいという問題があった。
【００１５】
そこで、本発明は、本体部に対して映像表示装置の表示画面を上方側及び下方側に容易に傾斜させることができるとともに、本体部の前方側に映像表示装置の表示画面を容易に向けることが可能とされたビデオカメラ装置を提供することを目的とする。
【００１６】
【課題を解決するための手段】
上述した目的を達成するため、本発明に係るビデオカメラ装置は、撮影方向を前方側として配設された撮像レンズとこの撮像レンズが形成する像を撮像する撮像手段とを有する本体部と、表示画面を本体部の後方側に向けて配設される映像表示装置と、一端部が本体部の背面側の上方縁部との間の第１のヒンジ部材を介して本体部に回動自在に支持されるとともに、他端部が映像表示装置との間の第２のヒンジ部材を介して映像表示装置を回動自在に支持することにより、本体部の背面側に対して映像表示装置を揺動自在に支持する略矩形板状に形成された表示支持機構とを備え、上記映像表示装置は、上記表示支持機構に、映像を表示する表示画面を上方側及び下方側に傾斜自在に支持されるとともに、上記本体部の前方側に映像を表示する表示画面が向くように支持されたビデオカメラ装置であって、上記表示支持機構は、上記第１のヒンジ部材の下方で上記本体部の背面に略平行な第１の位置から、上記第１のヒンジ部材の上方で上記本体部の背面に略平行な第２の位置までの略１８０度回動自在に構成され、上記第２の位置においては、上記映像表示装置を上記本体部の上面よりも上方に保持すると共に、この状態で上記第２のヒンジ部材により上記映像表示装置の表示画面が上記本体部の前方側又は後方側に向くように選択自在に回動するよう構成されたことを特徴とする。
【００１９】
以上のように構成したビデオカメラ装置は、表示支持機構が有するヒンジ部材を介して、映像表示装置が、映像を表示する表示画面を上方側及び下方側に傾斜自在とされるとともに、本体部の前方側に映像を表示する表示画面が向くようにされている。
【００２０】
また、このビデオカメラ装置は、本体部に対してヒンジ部材が揺動された際、ヒンジ部材の各端部に設けられた第１の操作部及び第２の操作部によって、第１の切替えスイッチ及び第２の切替えスイッチがそれぞれ操作される。したがって、このビデオカメラ装置は、揺動されたヒンジ部材の傾斜角に応じて、映像表示装置に表示される映像の向きを切り替えられる。
【００２１】
さらに、ビデオカメラ装置は、映像表示装置の背面側に設けられた収納凹部にヒンジ部材の一端部側が収納される。すなわち、ヒンジ部材の一端部側は、映像表示装置の厚さ領域内に収納される。
【００２２】
【発明の実施の形態】
以下、本発明の具体的な実施の形態について、ビデオカメラ装置を図面を参照して説明する。本実施の形態のビデオカメラ装置１は、図１及び図２に示すように、本体部３と、この本体部３に実装されて撮像レンズ４Ａ及び撮像手段として撮像素子を有して構成されるカメラ部４と、本体部３に実装されて映像の記録及び再生を行う図示しないビデオテープレコーダ部と、撮影中の映像又は再生された映像を表示する映像表示部５と、この映像表示部５を揺動自在に支持する表示支持機構部６と、この表示支持機構部６の近傍位置に配設され映像表示部に表示させる映像の向きを切り替える第１の切替えスイッチ７及び第２の切替えスイッチ８とを備えて構成されている。
【００２３】
そして、本体部３の正面側には、図１に示すように、カメラ部４が有する撮像レンズ４Ａと、外部音声を録音するためのマイク９、図示しないリモートコントローラからの光信号を受光するリモコン受光部１０、撮影中に点灯する録画ランプ１１、ズームレンズをズーム動作させるためのズームレバー１２、本体部３を保持するためのグリップラバー１３とがそれぞれ配設されている。
【００２４】
また、本体部３の背面側には、図２に示すように、映像表示部５、この映像表示部５に各種メニューを表示させて操作するメニュー操作ボタン群１４、撮影する映像に日付や時刻を挿入するための日付ボタン、時刻ボタン等を有するボタン群１５、撮影中に点灯する録画ランプ１６とがそれぞれ配設されている。
【００２５】
また、本体部３の上方側には、図１及び図２に示すように、各種操作ボタン、液晶表示板を有する操作パネル１８、主電源スイッチ１９、撮影環境に応じて撮影状態を切り替えるプログラムＡＥダイヤル２０とがそれぞれ配設されている。また、本体部３の右側面側には、図１及び図２に示すように、本体部３を保持する手を引っかけるグリップベルト２３が配設されている。
【００２６】
また、本体部３の左側面側には、図２に示すように、録音された音声を出力するスピーカ２４、外部電源用接続端子２５、外部機器用接続端子群２６、ショルダーベルト取付け用フック２７とがそれぞれ配設されている。
【００２７】
映像表示部５は、図４及び図６に示すように、映像を表示する表示画面を構成する液晶パネル５Ａと、この液晶パネル５Ａを発光させる光源５Ｂと、この光源５Ｂからの光を液晶パネル５Ａへ導く導光板５Ｃと、液晶パネル５Ａを制御する回路基板５Ｄと、この回路基板５Ｄ上に配設された電子素子群５Ｅと、表示部筐体５Ｆとから構成されている。
【００２８】
また、本体部３の背面側には、図３及び図４に示すように、映像表示部５が収納される収納部３Ａが凹設されている。この収納部３Ａは、映像表示部５の背面側の外形形状と略同一形状に形成されている。したがって、映像表示部５は、映像を表示する表示画面側が外方に臨んだ状態で、本体部３の収納部３Ａに収納される。
【００２９】
また、本体部３に凹設された収納部３Ａには、係合ピン２８が配設されており、また映像表示部５の背面上には、断面略Ｕ字状の係合凹部２９Ａを有する係合部材２９が立設されている。したがって、本体部３の収納部３Ａに収納された映像表示部５は、この収納部３Ａに配設された係合ピン２８と、この映像表示部５の背面上に立設された係合部材２９の係合凹部２９Ａとが互いに係合することによって、収納状態が保持されて確実に収納される。
【００３０】
以上のように構成された映像表示部５は、カメラ部４により撮影されている映像、又はビデオテープレコーダ部により再生された映像を表示する。したがって、ビデオカメラ装置１は、映像表示部５が、カメラ部４による撮影を行う場合のビューファインダとして使用されるとともに、ビデオテープレコーダ部により再生された映像を観賞する場合のモニタとしても使用される。
【００３１】
表示支持機構部６は、図５及び図６に示すように、本体部３と映像表示部５とを揺動自在に連結するヒンジ部材３０と、このヒンジ部材３０の両端部を揺動自在にそれぞれ支持する支持ピン３１及び支軸３２と、映像表示部５に設けられて支持ピン３１を支持する一対の支持片３３Ａ、３３Ｂと、本体部３の背面側の上方縁部に設けられて支軸３２を支持する支持部材３４とを備えている。
【００３２】
ヒンジ部材３０は、本体部３と映像表示部５とを揺動自在に連結するヒンジベース３５と、このヒンジベース３５の主面側に重ね合わされて配設される主面側外筐３６と、ヒンジベース３５の背面側に重ね合わされて配設される背面側外筐３７とを備えている。
【００３３】
ヒンジ部材３０は、略矩形板状に形成されており、一端部に映像表示部５を回動自在に支持する一対の第１のヒンジ部３０Ａ、３０Ａがそれぞれ形成されており、また他端部に本体部３の背面側の上方縁部に回動自在に支持される一対の第２のヒンジ部３０Ｂ、３０Ｂがそれぞれ形成されている。
【００３４】
背面側外筐３７には、本体部３側の端部に第１の切替えスイッチ７を押込み操作する第１の操作部４１が断面円弧状に膨出形成されている。主面側外筐３６には、主面上に、映像表示部５を操作するメニュー操作ボタン群１４が配設されており、また映像表示部５側の端部に第２の切替えスイッチ８を押込み操作する断面円弧状の第２の操作部４２が膨出形成されている。
【００３５】
支持ピン３１は、ヒンジ部材３０の第１のヒンジ部３０Ａの軸穴に挿通されており、支持片３３Ａ、３３Ｂに両端部が支持されている。支軸３２は、ヒンジ部材３０の第２のヒンジ部３０Ｂの軸穴に挿通されており、また両端部にブッシュ３８Ａ、３８Ｂがそれぞれ配設されている。
【００３６】
支持部材３４には、相対向する一対の支持片３４Ａ、３４Ｂがそれぞれ立ち上がり形成されている。そして、この支持部材３４は、支持片３４Ａ、３４Ｂに、ヒンジ部材３０の第２のヒンジ部３０Ｂに挿通された支軸３２の両端部をそれぞれ支持している。
【００３７】
したがって、ヒンジ部材３０は、第１のヒンジ部３０Ａが映像表示部５を回動自在に支持するとともに第２のヒンジ部３０Ｂが本体部３の背面側の上方縁部に回動自在に支持されている。
【００３８】
そして、映像表示部５の表示部筐体５Ｆには、背面部に、映像表示部５に対してヒンジ部材３０が回動された際、ヒンジ部材３０の背面側外筐３７が突き当てられる突当面４３が形成されている。また、本体部３の背面側の上方縁部には、支持部材３４の近傍位置に、本体部３に対してヒンジ部材３０が回動された際、ヒンジ部材３０の主面側外筐３６が突き当てられる突当部４４が設けられている。
【００３９】
また、映像表示部５の表示部筐体５Ｆの背面側には、この背面側にヒンジ部材３０の主面側外筐３６が突き合わされた際、ヒンジ部材３０の一端部側を収納する収納凹部３９が形成されている。
【００４０】
第１の切替えスイッチ７は、押込み操作される作動片７Ａを有しており、この作動片７Ａがヒンジ部材３０に設けられた第１の操作部４１に臨んだ状態で、本体部３に配設されている。そして、この第１の切替えスイッチ７は、ヒンジ部材３０が回動された際、このヒンジ部材３０の第１の操作部４１によって作動片７Ａが押込み操作される。
【００４１】
第２の切替えスイッチ８は、押込み操作される作動片８Ａを有しており、この作動片８Ａがヒンジ部材３０に設けられた第２の操作部４２に臨んだ状態で、映像表示部５に配設されている。そして、この第２の切替えスイッチ８は、ヒンジ部材３０が回動された際、このヒンジ部材３０の第２の操作部４２によって作動片８Ａが押込み操作される。
【００４２】
また、これら第１の切替えスイッチ７及び第２の切替えスイッチ８は、映像表示部５に表示される映像の向きの切り替えを制御する図示しない制御回路部とそれぞれ接続配線されている。
【００４３】
上述した表示支持機構部６について、本体部３に対して映像表示部５を傾斜させる動作を図６を参照して説明する。表示支持機構部６は、映像表示部５に対してヒンジ部材３０が回動された際、このヒンジ部材３０の第１のヒンジ部３０Ａを介して、映像表示部５の表示部筐体５Ｆの背面側に設けられた突当面４３に、ヒンジ部材３０の背面側筐体３７が突き当てられる位置から、ヒンジ部材３０の主面側外筐３６が突き当てられる位置との回転角１４５度の範囲内を揺動することができる。
【００４４】
また、表示支持機構部６は、本体部３に対してヒンジ部材３０が回動された際、このヒンジ部材３０の第２のヒンジ部３０Ｂを介して、本体部３の背面にヒンジ部材３０の背面側外筐３７が突き当てられる位置から、本体部３に形成された突当部４４に突き当てられる位置との回転角１８０度の範囲内を揺動することができる。
【００４５】
つぎに、上述した第１の切替えスイッチ７及び第２の切替えスイッチ８について、ヒンジ部材３０が揺動されることによって押込み操作されて、映像表示部５に表示される映像の向きが切り替わる状態を図７及び図８を参照して説明する。
【００４６】
第１の切替えスイッチ７は、図７に示すように、ヒンジ部材３０に対して映像表示部５が傾斜角θ１傾斜された際、このヒンジ部材３０に設けられた第１の操作部４１によって押込み操作されてＯＮにされる。なお、ビデオカメラ装置１において、傾斜角θ１は、３０度に設定されている。
【００４７】
第２の切替えスイッチ８は、図８に示すように、本体部３に対してヒンジ部材３０が傾斜された際、このヒンジ部材３０に設けられた第２の操作部４２によって押込み操作されてＯＮとされる。なお、ビデオカメラ装置１において、傾斜角θ２は、１６０度に設定されている。
【００４８】
映像表示部５に表示される映像は、第１の切替えスイッチ７がＯＦＦ状態及び第２の切替えスイッチ８がＯＦＦ状態の場合、第１の切替えスイッチ７がＯＦＦ状態及び第２の切替えスイッチ８がＯＮ状態の場合、並びに第１の切替えスイッチ７がＯＮ状態及び第２の切替えスイッチ８がＯＮ状態の場合、同一の向きに表示される。
【００４９】
そして、映像表示部５に表示される映像は、第１の切替えスイッチ７がＯＮ状態及び第２の切替えスイッチ８がＯＦＦ状態の場合、上下逆さに倒立された向きに切り替えられて表示される。
【００５０】
以上のように構成されたビデオカメラ装置１について、本体部３に対して映像表示部５が傾斜された状態を図面を参照して説明する。まず、ビデオカメラ装置１は、図９に示すように、本体部３の収納部３Ａに映像表示部５が収納された位置の場合、映像表示部５の表示画面が本体部３の背面と平行とされた第１の状態とされている。
【００５１】
また、この第１の状態において、第１の切替えスイッチ７は、ＯＦＦにされており、また第２の切替えスイッチ８は、ＯＦＦにされている。したがって、このビデオカメラ装置１の使用者は、撮影を行いながら、本体部３の収納部３Ａに収納されている映像表示部５の表示画面によって、撮影されている映像を見ることができる。
【００５２】
また、ビデオカメラ装置１は、図１０に示すように、映像表示部５の表示部筐体５Ｆの背面側に形成された突当面４３にヒンジ部材３０の背面側外筐３７を突き当てるとともに、本体部３の収納部３Ａに映像表示部５の一側端部を突き当てることによって、本体部３の背面に対して映像表示部５の表示画面を、下方側に所定の傾斜角θ３度傾斜させた第２の状態にすることができる。
【００５３】
なお、ビデオカメラ装置１において、傾斜角θ３は、およそ５５度に設定されている。また、この第２の状態において、第１の切替えスイッチ７は、ＯＦＦにされており、また第２の切替えスイッチ８は、ＯＮにされている。すなわち、この第２の状態において、映像表示装置５に表示される映像は、上述した第１の状態で表示される映像と同一の向きとされている。したがって、ビデオカメラ装置１の使用者は、使用者の目の高さより上方からいわゆるハイアングル撮影を行いながら、下方側に傾斜された映像表示部５の表示画面によって撮影されている映像を見ることができる。
【００５４】
さらに、ビデオカメラ装置１は、図１１に示すように、映像表示部５の表示部筐体５Ｆの背面側に形成された突当面４３にヒンジ部材３０の背面側外筐３７を突き当てるとともに、本体部３に設けられた突当部４４にヒンジ部材３０の主面側外筐３６を突き当てることによって、本体部３の背面に対して映像表示部５の表示画面を、上方側に所定の傾斜角θ４度傾斜させた第３の状態にすることができる。
【００５５】
なお、ビデオカメラ装置１において、傾斜角θ４は、およそ４５度に設定されている。また、この第３の状態において、第１の切替えスイッチ７は、ＯＮにされており、また第２の切替えスイッチ８は、ＯＮにされている。すなわち、この第３の状態において、映像表示装置５に表示される映像は、上述した第１及び第２の状態で表示される映像と同一の向きとされている。したがって、ビデオカメラ装置１の使用者は、使用者の目の高さより下方からいわゆるロウアングル撮影を行いながら、撮影されている映像を見ることができる。
【００５６】
さらにまた、ビデオカメラ装置１は、図１２に示すように、映像表示部５の表示部筐体５Ｆの背面側にヒンジ部材３０の主面側外筐３６を突き当てるとともに、本体部３に設けられた突当部４４にヒンジ部材３０の主面側外筐３６を突き当てることによって、撮像レンズ４Ａが配設された本体部３の正面側に表示画面を向けた第４の状態にすることができる。
【００５７】
また、この第４の状態において、第１の切替えスイッチ７は、ＯＮにされており、また第２の切替えスイッチ８は、ＯＦＦにされている。すなわち、この第４の状態において、映像表示装置５に表示される映像は、上述した第１、第２及び第３の状態で表示される映像と上下逆さに倒立された向きに切り替えられる。したがって、ビデオカメラ装置１の使用者は、撮像レンズ４Ａを使用者側に向けて、例えば使用者自身の撮影を行いながら、撮影されている映像を見ることができる。
【００５８】
上述したように、実施の形態のビデオカメラ装置１は、第１のヒンジ部３０Ａが映像表示部５を回動自在に支持するとともに第２のヒンジ部３０Ｂが本体部３の背面側の上方縁部に回動自在に支持されるヒンジ部材３０を有する表示支持機構部６を備えることによって、本体部３に対して映像表示部５の表示画面を上方側及び下方側に容易に傾斜させることができるとともに、撮像レンズ４Ａが配設された本体部３の正面側に映像表示部５の表示画面を容易に向けることが可能とされる。したがって、このビデオカメラ装置１は、使用者の目の高さより上方側及び下方側を撮影しながら映像表示部５の表示画面を見ることができるとともに、使用者自身の方向を撮影しながら映像表示部５の表示画面を見ることができる。
【００５９】
また、このビデオカメラ装置１は、表示支持機構部６を構成するヒンジ部材３０の両端部に臨んで第１の切替えスイッチ７及び第２の切替えスイッチ８がそれぞれ配設されるとともに、ヒンジ部材３０の両端部に、第１の切替えスイッチ７及び第２の切替えスイッチ８を押込み操作する第１の操作部４１及び第２の操作部４２がそれぞれ形成されたことによって、本体部３の背面に対する映像表示部５の傾斜角に応じて、映像表示部５に表示される映像の向きを適宜切り替えることができる。
【００６０】
したがって、このビデオカメラ装置１によれば、使用者の目の高さの上方側及び下方側を撮影している状態で、映像表示部５の表示画面を見ることができるとともに、使用者側を撮影しながら映像表示部５の表示画面を見ることができる。
【００６１】
さらに、このビデオカメラ装置１は、映像表示部５の表示部筐体５Ｆの背面側に収納凹部３９が形成されることによって、この表示部筐体５Ｆの背面側にヒンジ部材３０の一端部側が突き当てられて重ね合わされた際、収納凹部３９にヒンジ部材３０の一端部側が収納されるため、装置全体を小型化することができる。
【００６２】
なお、本実施の形態に係るビデオカメラ装置１は、映像表示装置５に対するヒンジ部材３０の傾斜及び本体部３に対するヒンジ部材３０の傾斜をそれぞれ検出するために、押込み操作される第１の切替えスイッチ７及び第２の切替えスイッチ８を備える構成とされたが、例えば回転角検出スイッチ等の他のスイッチを備える構成としても良い。
【００６３】
【発明の効果】
上述したように本発明に係るビデオカメラ装置によれば、一端部が本体部の背面側の上方縁部に回動自在に支持されるとともに他端部が映像表示装置を回動自在に支持するヒンジ部材を有し本体部の背面側に対して映像表示装置を揺動自在に支持する表示支持機構とを備えることによって、映像表示装置の表示画面を上方側及び下方側に向けて傾斜させることが容易にできるとともに、映像表示装置の表示画面を本体部の前方側に向けることが容易にできる。したがって、このビデオカメラ装置によれば、使用者の目の高さの上方側及び下方側を撮影している状態で、映像表示装装置の表示画面を見ることができるとともに、使用者側を撮影しながら映像表示装置の表示画面を見ることができる。
【００６４】
また、このビデオカメラ装置によれば、映像表示装置に表示される映像の向きを切り替える第１の切替えスイッチ及び第２の切替えスイッチがヒンジ部材の両端部にそれぞれ設けられたことによって、移動された映像表示装置の位置に応じて、表示する映像の向きを確実に切り替えることが可能とされる。
【００６５】
さらに、このビデオカメラ装置は、映像表示装置の背面側に設けられた収納凹部に、ヒンジ部材の一端部側が収納されることによって、装置全体を小型化することができる。
【図面の簡単な説明】
【図１】本発明に係る実施の形態のビデオカメラ装置を正面側から示す斜視図である。
【図２】上記ビデオカメラ装置を背面側から示す斜視図である。
【図３】上記ビデオカメラ装置を背面側から示す平面図である。
【図４】上記ビデオカメラ装置が備える映像表示部を説明するために示す左側面図である。
【図５】上記ビデオカメラ装置が備える表示支持機構部を示す分解斜視図である。
【図６】上記ビデオカメラ装置が備える表示支持機構部の動作を説明するために示す側面図である。
【図７】上記ビデオカメラ装置が備える第１の切替えスイッチを説明するために示す側面図である。
【図８】上記ビデオカメラ装置が備える第２の切替えスイッチを説明するために示す側面図である。
【図９】上記ビデオカメラ装置が備える映像表示部の第１の状態を説明するために示す側面図である。
【図１０】上記ビデオカメラ装置が備える映像表示部の第２の状態を説明するために示す側面図である。
【図１１】上記ビデオカメラ装置が備える映像表示部の第３の状態を説明するために示す側面図である。
【図１２】上記ビデオカメラ装置が備える映像表示部の第４の状態を説明するために示す側面図である。
【図１３】従来のビデオカメラ装置が備える映像表示装置を説明するために示す側面図である。
【図１４】従来のビデオカメラ装置が備える映像表示装置を説明するために示す側面図である。
【図１５】従来のビデオカメラ装置が備える映像表示装置を説明するために示す斜視図である。
【図１６】従来のビデオカメラ装置が備える映像表示装置を説明するために示す斜視図である。
【符号の説明】
１  ビデオカメラ装置
３  本体部
４Ａ  撮像レンズ
５  映像表示部（映像表示装置）
６  表示支持機構部（表示支持機構）
７  第１の切替えスイッチ
８  第２の切替えスイッチ
３０  ヒンジ部材
３９  収納凹部
４１  第１の操作部
４２  第２の操作部
【図１】
0003687163.tif 000002
【図２】
0003687163.tif 000003
【図３】
0003687163.tif 000004
【図４】
0003687163.tif 000005
【図５】
0003687163.tif 000006
【図６】
0003687163.tif 000007
【図７】
0003687163.tif 000008
【図８】
0003687163.tif 000009
【図９】
0003687163.tif 000010
【図１０】
0003687163.tif 000011
【図１１】
0003687163.tif 000012
【図１２】
0003687163.tif 000013
【図１３】
0003687163.tif 000014
【図１４】
0003687163.tif 000015
【図１５】
0003687163.tif 000016
【図１６】
0003687163.tif 000017